Podtech/llm-jp-corpus-v4-ja_patent huggingface dataset:
(57)【要約】      （修正有）【課題】理想的な打球コントロールを実現することによって、ジャストミートプレーが出来るようにするために、可動シャフトを装置した打球具を提供する。【解決手段】打球ヘッド部５と打球ヘッド部内に可動部域４を有する。シャフト１を装置したシャフト部とを設けるとともに、シャフト部の相対的角度位置を保持する為のロックボール３を設けた打球ヘッド５とで、打球具を構成している。可動シャフト１は、ヘッド内部に取り付けられた軸棒２を支点に、可動範囲４において任意にシャフトを動かす事ができる。またロックボール３により、その可動範囲内においてシャフトを固定できる。【選択図】図３
0003168213.tif 000002
【実用新案登録請求の範囲】
【請求項１】
打球ヘッド部と、前記打球ヘッド部内に可動域を装置させたシャフト部とを有する打球具において、前記打球ヘッド部に対する、前記シャフト部の相対的角度位置を保持するためのロック手段が設けられていることを特徴とする打球具。
【請求項２】
前記ロック手段は、弾性部材によって懸架されたロックボールと、前記ロックボールを受け入れるボール受け部とから構成され、前記ロックボールが前記ヘッド部及び前記シャフト部のいずれか一方に設けられ、前記ボール部受け部がそれらの他方に設けられていることを特徴とする請求項１に記載の打球具。
【請求項３】
前記ロックボールは、前記シャフト部に設けられ、前記ロック受け部は、前記ヘッド部に前記シャフト部の可動域部方向に間隔を置いて複数設けられていることを特徴とする請求項２に記載の打球具
【請求項４】
前記ヘッド部は、収容凹部が設けられた打球ヘッド本体と、前記ヘッド本体の前記収容凹部の開口を覆うカバー部材とを備え、前記カバー部材に開口が設けられており、前記シャフト部は前記カバー部材の前記開口を通して前記ヘッド本体の前記収容部に可動域部を装置されていることを特徴とする請求項３に記載の打球具。
【請求項５】
前記カバー部材の表面側にはガイド部材が設けられ、前記カバー部材と前記ガイド部材との間にはプレート状部材が介在され、前記プレート部材には、前記シャフト部に取り付けられて前記カバー部材の前記開口を覆うことを特徴とする請求項４に記載の打球具。
【考案の詳細な説明】
【技術分野】
【０００１】
本考案は、理想的なスイートスポットを保持出来る可動シャフトを装置した打球具構造に関する。
【背景技術】
【０００２】
従来の打球具は、外観図（図１）に示すように、シャフトと打球面ヘッドとが固定さ
れて構成されている。
【０００３】
しかしながら、従来のものは、シャフトと打球面が固定されている為にそのコース条件に見合った打球コントロールとプレーセッティングが出来ず、理想的な打球面での、スイートスポットの確保が難しい欠点があった。
【考案の概要】
【考案が解決しようとする課題】
【０００４】
本考案は、従来のものが、シャフトと打球面ヘッドが固定されている為に、そのコース条件に見合った打球コントロールとプレーセッティングが出来ない欠点に鑑み、可動シャフトとの構成により、いかなるコース条件下においても、打球面が常に理想的なポジションにセットすることが出来る打球具の提供を目的としている。
【課題を解決するための手段】
【０００５】
打球面ヘッド部内に可動域を装置させたシャフト部とを有する打球具において、打球ヘッド部に対し、常にスイートスポットを確保する相対的角度位置を保持する為のロック手段が設けられた可動域をもった打球具であり、本考案は、可動シャフトと打球部ヘッドとで構成している。
【考案の効果】
【０００６】
以上の説明から明らかなように、本考案にあっては、次に列挙する効果が得られる。
(１)可動シャフトと打球部ヘッドとで構成されているので、コース条件に見合った理想的打球部ヘッドのセッティングが出来る。従って理想的な打球姿勢と理想的ストロークプレーが出来る。
（２）前記（１）によって理想的とする打球コントロールとプレーが出来る。
【図面の簡単な説明】
【０００７】
【図１】本考案を実施する為の、外観正面図と側面図である。
【図２】打球面ヘッド部とシャフト部位置の外観拡大図である。
【図３】本考案を実施する為の、可動シャフト部と打球面ヘッド部との構成断面図である。
【図４】可動シャフト部と打球面ヘッド部の構成側面断面図である。
【考案を実施するための形態】
【０００８】
以下本考案の実施の打球部内に可動域を装置させたシャフト部とを有する形態を図に基づいて説明する。
【実施例１】
【０００９】
（図３）は、本考案可動シャフトの実施例の構成であって、１可動シャフト部、３ロ
ックボールと５打球部ヘッドの構成と位置を示したものである。
【実施例２】
【００１０】
１の可動シャフトは、ヘッド内部に取り付けられた２の軸棒を支点に、４の可動範囲において任意にシャフトを動かす事ができる。また３のロックボールにより、その可動範囲内においてシャフトを固定できる。
【実施例３】
【００１１】
（図４）は、本考案の可動シャフトを装置した打球具の各部構成詳細の実施例であって、１は可動シャフト部、２はシャフトを可動させる為の軸棒、３は可動シャフトを固定させる為のロックボールである。６は、１のシャフトが、２の軸棒を支点として移動する事により、ヘッド上部においての開口部分の蓋をする開閉シャッターである。
【実施例４】
【００１２】
７、８、は、打球部の面において、打球力の反発強弱を調整できるように、７は硬質のプラスチックなどの面材を装着し、８は軟質のゴム系などの面材を装着し示したものである。
【符号の説明】
【００１３】
１  可動シャフト
２  可動シャフト支持軸棒
３  可動シャフトロックボール
４  可動部域
５  打球ヘッド部本体
６  可動開口部開閉シャッター
７  硬質プラスチック面材
８  軟質ゴム系面材
【図１】
0003168213.tif 000003
【図２】
0003168213.tif 000004
【図３】
0003168213.tif 000005
【図４】
0003168213.tif 000006
(57)【要約】      （修正有）【課題】記録メディアの整理をしやすく、また内部にどのようなデータが記録されているかが簡単に判断することの記録メディア収納カードを提供する。【解決手段】記録メディア収納カード１０は、クレジットカード形状であって、記録メディアをスライドイン式で収納することができる収納部１２を備えていると共に、表面に前記記録メディアに記録されているか、これから記録されるであろうデータに関連した図柄を表示して構成する。【選択図】図１
0003168267.tif 000002
【実用新案登録請求の範囲】
【請求項１】
クレジットカード形状であって、記録メディアをスライドイン式で収納することができる収納部を備えていると共に、表面に前記記録メディアに記録されているか、これから記録されるであろうデータに関連した図柄が表示されていることを特徴とする記録メディア収納カード。
【請求項２】
前記データが写真であって、前記図柄がその写真の被写体である請求項１の記録メディア収納カード。
【請求項３】
前記データが演奏であって、前記図柄がその演奏の演奏者である請求項１の記録メディア収納カード。
【考案の詳細な説明】
【技術分野】
【０００１】
本考案は、記録メディア収納カードに関するものである。
【背景技術】
【０００２】
近年、携帯電話機にもデジタルカメラが付いており、その写真データを記録した記録メディアたとえばＳＤ（商標）カードをいかにして整理し、管理するかが問題になっている。
【０００３】
また、上記のようなＳＤカードのような記録メディアは、小さいので中にどのようなデータが記録されているか等の表示も難しいという問題もある。
【考案の開示】
【考案が解決しようとする課題】
【０００４】
そこで、本考案は、整理をしやすく、また内部にどのようなデータが記録されているかが簡単に判断することの記録メディア収納カードを提供することを目的とする。
【課題を解決するための手段】
【０００５】
上記課題は、下記（１）〜（３）の構成の本考案の記録メディア収納カードにより達成される。
（１）  
クレジットカード形状であって、記録メディアをスライドイン式で収納することができる収納部を備えていると共に、表面に前記記録メディアに記録されているか、これから記録されるであろうデータに関連した図柄が表示されていることを特徴とする記録メディア収納カード。
（２）
前記データが写真であって、前記図柄がその写真の被写体である上記（１）の記録メディア収納カード。
（３）
前記データが演奏であって、前記図柄がその演奏の演奏者である上記（１）の記録メディア収納カード。
【考案の効果】
【０００６】
本考案による記録メディア収納カードには、その表面に前記記録メディアに記録されているか、これから記録されるであろうデータに関連した図柄が表示されているので、一目で記録されているデータ内容がわかり、取り扱いやすい。
【０００７】
また、本考案による記録メディア収納カードは、クレジットカード形状であるので、名刺ホルダーに入れて整理でき、また財布や名刺入れに入れて携帯することもできる。
【図面の簡単な説明】
【０００８】
【図１】本考案の一実施形態による記録メディア収納カードの正面図である。
【図２】図１に示した記録メディア収納カードの背面図である。
【図３】図１に示した記録メディア収納カードの左側面図である。
【図４】図１に示した記録メディア収納カードの右側面図である。
【図５】図１に示した記録メディア収納カードの平面図である。
【図６】図１に示した記録メディア収納カードの底面図である。
【図７】図１の線Ｉ−Ｉに沿う断面図である。
【図８】ＳＤカード収納時の図１に示した記録メディア収納カードの正面図である。
【図９】他の実施形態による記録メディア収納カードの正面図である。
【図１０】更に他の実施形態による記録メディア収納カードの正面図である。
【考案を実施するための形態】
【０００９】
以下、本考案の一実施形態を、図面を参照して説明する。なお、記録メディアとしては、ＳＤカードを例にして説明するが、他の記録メディアであっても良いことは勿論である。
本実施形態の記録メディア収納カード１０は、図１、図２に示されているようにクレジットカード形状をしている。
【００１０】
そして、本記録メディア収納カード１０は、一つの辺から、反対側の辺に向かって延びるスライドイン式のＳＤカード収納部１２を備えている。このＳＤカード収納部１２は、図７の断面図からも分かるように、ＳＤカード３０の上辺３２および左右辺３４，３６を挟み込む爪状保持部材１４ａ（ＳＤカードの上辺のための下側の爪状保持部材は図面上は現れてこない）、１６ａ、１６ｂ、１８ａ、１８ｂから構成されている。図８にＳＤカード３０をＳＤカード収納部１２に収容した状態を示した。
【００１１】
本記録メディア収納カード１０の背面（こちら側を正面としても良い）には、その記録メディア収納カード１０を販売する土地等の図柄２０が描かれている。図２の例では富士山を示した。これにより、富士山で撮影したあるいは富士山を撮影した写真のデータを記録したＳＤカード３０を該記録メディア収納カード１０に収容しておけば、ＳＤカード３０に記録した写真が何であるかが容易に判断できる。
【００１２】
記録メディア収納カード１０の背面に表示される図柄は、その販売場所が、サッカー場、野球場等の競技場、コンサート会場、遊園地（テーマパーク）、相撲場、歌舞伎会場等の場合には、そこに出場する選手や、出演する役者等の図柄、写真等であることが望ましい。特に、このような場合、図柄をサッカーのイレブンの一人一人のものにすれば、イレブンの全てを集めるといったような、コレクション性も高まり、販売数および売り上げの増大に繋がる。
【００１３】
なお、図９に示したように、ＳＤカード収納部を記録メディア収納カードの長辺部に形成したり、図１０に示したように両短辺部に形成してもよい。
【符号の説明】
【００１４】
１０  記録メディア収納カード
１２  ＳＤカード収納部
１４ａ、１６ａ、１６ｂ、１８ａ、１８ｂ  爪状保持部材
２０  図柄
３０  ＳＤカード
３２  上辺
３４、３６  左右辺
【図１】
0003168267.tif 000003
【図３】
0003168267.tif 000004
【図４】
0003168267.tif 000005
【図５】
0003168267.tif 000006
【図６】
0003168267.tif 000007
【図７】
0003168267.tif 000008
【図８】
0003168267.tif 000009
【図９】
0003168267.tif 000010
【図１０】
0003168267.tif 000011
【図２】
0003168267.tif 000012
(57)【要約】      （修正有）【課題】へらとスプーンとを１本の用具で兼用することができるものを提供する。【解決手段】全体が一体に合成樹脂成形される柄体１，首部３および本体４から成る用具であり、柄体と首部との間に凹部２を設け、本体の材厚を，正面部においては先部の横間は薄厚かつ浅面に成り，中央部から奥部にかけては次第に厚くかつ深面に成り、側面部においては奥部から先部にかけて弯形状に成り、本体の背面部５は先部から首部にかけて形状に変化のない平ら面に成るものである。【選択図】図１
0003168265.tif 000002
【実用新案登録請求の範囲】
【請求項１】
全体が一体に合成樹脂成形される柄体，首部および本体から成る用具であり、柄体と首部との間に凹部を設け、本体の材厚を，正面部においては先部の横間は薄厚かつ浅面に成り，中央部から奥部にかけては次第に厚くかつ深面に成り、側面部においては奥部から先部にかけて弯形状に成り、本体の背面部は先部から首部にかけて形状に変化のない平ら面に成ることを特徴とするへらスプーン。
【考案の詳細な説明】
【技術分野】
【０００１】
本考案は、飲食用のへらとスプーンとを兼用するへらスプーンに関するものである。
【背景技術】
【０００２】
一般家庭の食卓において使用するへらは、本体が硬質で比較的狭巾の水平形状に成るものであるため、人はその柄部を持ってへらでバターを削り取ってパンに塗ることはできても、ジャムをすくい取ってパンに塗りつけることは殆んどできなかったし、本体がスプーンの凹み形状に成るものにあってはバターやジャムをすくい取ることはできても、これをパンの表面にきれいに塗り上げることはできなかった。
【０００３】
次に例挙する公知文献に見られるものは、へらとスプーンとを兼用するような物品ではないのみならず、柄体と本体とを別製作しているもので、実用的な物品ではなかった。
【先行技術文献】
【特許文献】
【０００４】
【特許文献１】特開２００２−６５４３８号公報
【特許文献２】特開２００７−７２４２号公報
【考案の概要】
【考案が解決しようとする課題】
【０００５】
そこで、本考案は、へらとスプーンとを１本の用具で兼用することができるものを提供することを目的とするものである。
【課題を解決するための手段】
【０００６】
本考案は、全体が一体に合成樹脂成形される柄体，首部および本体から成る用具であり、柄体と首部との間に凹部を設け、本体の材厚を，正面部においては先部の横間は薄厚かつ浅面に成り，中央部から奥部にかけては次第に厚くかつ深面に成り、側面部においては奥部から先部にかけて弯形状に成り、本体の背面部は先部から首部にかけて形状に変化のない平ら面に成るものである。
【考案の効果】
【０００７】
本具を使用すれば、すくいのためのスプーンとぬりのためのへらの作用を１本で確実に行うことができるようになり、使用者にとっては利便性がきわめてよいし、その使い方は簡単であり、子供でもよく使用することができるものである。
【図面の簡単な説明】
【０００８】
【図１】（ａ）は全体の正斜視図、（ｂ）は全体の背斜視図
【図２】全体の側面図
【図３】（ａ）は図１Ａ−Ａ線の端面図、（ｂ）は図１Ｂ−Ｂ線の端面図、（ｃ）は図１Ｃ−Ｃ線の端面図
【図４】（ａ）は他例の要部の正斜視図、（ｂ）は他例の要部の背斜視図
【図５】他例の要部の側面図
【図６】（ａ）は図４Ｄ−Ｄ線の端面図、（ｂ）は図４Ｅ−Ｅ線の端面図、（ｃ）は図４Ｆ−Ｆ線の端面図
【図７】（ａ）は他々例の要部の正斜視図、（ｂ）は他々例の要部の背斜視図
【図８】他々例の要部の側面図
【図９】（ａ）は図７Ｈ−Ｈ線の端面図、（ｂ）は図７Ｉ−Ｉ線の端面図、（ｃ）は図７Ｊ−Ｊ線の端面図
【図１０】（ａ）（ｂ）いずれも使用状態図
【考案を実施するための形態】
【０００９】
本考案具を使用するときは、例えば食パンにジャムを塗りつけるときは、把持した本柄体をもってジャム瓶からジャムを本体正面の先部ですくい上げ奥部までのせ、これをパンの表面に置いた後、本体の背面部でジャムを平らに塗りつければよい。同様の作業はバターについても同じである。
【００１０】
即ち、ジャムやバターをすくって取り上げた時は、本体正面のスプーンの壺のような奥部までのるようになり、これをパンの表面に置いた後は、本体背面部の平ら面によってジャムやバターを塗りつけると、本体はその先部から奥部にかけてよくしなうとともにその背面の平ら面によって均一に塗りつけられるようになる。
【実施例】
【００１１】
１は適当な厚さと形状に成る柄体で、この柄体の上側部には親指が係止する凹部２を設ける。
【００１２】
３はこの凹部２と後記本体４との間の首部である。
【００１３】
４は前記柄体１，首部３と合成樹脂成形により一体に構成される本体で、この本体の外形状は図示するように様々である（図１，図４，図７参照）。
【００１４】
いずれの外形状の本体４にあっても、Ａ−Ａ線，Ｂ−Ｂ線，Ｃ−Ｃ線の各端面部は、その材厚はＣ線部からＡ線部に至るまで次第に薄くなり、またその面深さはＡ線部からＣ線部に至るまで次第に深くなる。
【００１５】
本体４の正面部はこのように、先部の横間は薄厚かつ浅面に成り、中央部から奥部にかけては次第に厚くかつ深面に成るから、全体的にはスプーン様の壺を形成している。また、本体の側面部は奥部から先部にかけて弯形状に成る。
【００１６】
したがって、本体４はその中央部および先部にかけてはよくたわみ、かつその正面部ではすくいができるようになる。
【００１７】
これに対し、本体４の背面部５は先部から首部３にかけて形状に変化のない平ら面５に成る。
【００１８】
合成樹脂製の本具全体の硬質度は、柄体１から首部３まではその材厚により高いが、本体４にあっては低いから、柄体を把持しての本体の作用は合理的に行われるようになる。
【符号の説明】
【００１９】
１                    柄体
２                    凹部
３                    首部
４                    本体
５                    背面部
【図１】
0003168265.tif 000003
【図２】
0003168265.tif 000004
【図３】
0003168265.tif 000005
【図４】
0003168265.tif 000006
【図５】
0003168265.tif 000007
【図６】
0003168265.tif 000008
【図７】
0003168265.tif 000009
【図８】
0003168265.tif 000010
【図９】
0003168265.tif 000011
【図１０】
0003168265.tif 000012
(57)【要約】【課題】  ピンホールカメラの原理によって老眼の視力を矯正するコンタクトレンズを提供する。【解決手段】  円形のレンズ本体１を有し、該レンズ本体の使用者の瞳孔区に対応する部分に黒色の円形の着色部分を設け、その黒色の円形の中心部分に直径１．５ｍｍ〜２．０ｍｍの円形の無着色の光透過ゾーン３を設けることにより、リンク状に黒色に着色された部分２を有することを特徴とする視力矯正コンタクトレンズ。光透過部分がピンホールとなってピンホールカメラの原理により網膜上に外景を結像する。【選択図】図１
0003168294.tif 000002
【実用新案登録請求の範囲】
【請求項１】
円形のレンズ本体を有し、該レンズ本体の使用者の瞳孔区に対応する部分に黒色の円形の着色部分を設け、その円形の中心部分に直径１．５ｍｍ〜２．０ｍｍの円形の無着色の光透過ゾーンが設けることにより、リンク状に黒色に着色された部分を有することを特徴とする視力矯正コンタクトレンズ。
【請求項２】
前記リンク状の着色部分の外径５ｍｍ、内径１．５ｍｍ〜２．０ｍｍであることを特徴とする視力矯正コンタクトレンズ。
【考案の詳細な説明】
【技術分野】
【０００１】  本考案は、めがね診療器具の分野の老眼の視力を矯正するコンタクトレンズに関するものである。
【背景技術】
【０００２】  老眼は加齢により水晶体の弾力が失われ調節力が弱まり、近くのものに焦点を合わせることができなくなってくる目の障害である。【０００３】  老眼の矯正は今日まで専ら老眼鏡の凸レンズによって為されていた。凸レンズで焦点深度を深めることによって近くのもの像を網膜上に結像させることによって矯正を行う。調節力の減退に応じて、必要となる凸レンズの度数を強くする。【０００４】  また老眼が進むと近方視の時と遠方視の時の焦点矯正をするレンズの度のギャップが広がるので、近方視用と遠方視用の２つの眼鏡を用いる。近年レンズ全体は遠方視に度数を合わせ、レンズの下側の一部に近方視用度数のレンズを組み込んだ遠近両用眼鏡も使用されるようになった。【０００５】  最近では老眼の視力の回復をする手術が行われるようになった。その１つに角膜を一部切開して、瞳孔部にアキューホーカスリンクという黒いリンクを挿入する手術がある。本考案はこのリンクによらずコンタクトレンズによって視力矯正を行うものである。
【先行技術文献】
【特許文献】
【０００６】
【特許文献１】実用新案登録第３１１５５５５号（Ｕ３１１５５５５）
【特許文献２】実用新案登録第３０７３７８１号（Ｕ３０７３７８１）
【特許文献３】実用新案登録第３１４８６９３号（Ｕ３１４８６９３）
【考案の概要】
【考案が解決しようとする課題】
【０００７】  老眼鏡を使うと遠くが見えづらくなるので、近くのものを見る時に限定的に使用される。したがって近くのものを見ない時には老眼鏡をはずさなくてはならない。このめがねの着脱が不便である。【０００８】  また老眼が進むと近方視用と遠方視用の２つの眼鏡を持ち歩いて、近方を見るときと遠方を見るときとでめがねを交換する必要がある。これも甚だ不便である。【０００９】  手術によって老眼の視力の回復するには不安感が伴い、費用も嵩む。そのため期待したほどの効果がなかったときの失望感は大きい。【００１０】  このような不便は、老眼の近方視と遠方視の矯正を老眼鏡の凸レンズの屈折率による焦点距離の調整だけによって行っているところに根本的な原因がある。
【考案を解決するための手段】
【００１１】  そこで本考案は老眼の焦点矯正に、ピンホールカメラの原理を用いて網膜上に外景の鮮明な結像を得ることのできるコンタクトレンズを提供するものである。本考案のコンタクトレンズを老眼鏡を用いずに、あるいは老眼鏡と併用して着装することにより、老眼鏡を用い始める時期を遅らせ、老眼鏡を用いたときも着脱の不便の生じる時期を遅らせ、２つのめがねを持ち歩く不便の生じる時期を遅らせ、視力矯正手術の必要性を緩和することにより課題の解決をするものである。
【００１２】  請求項１の考案は、円形のレンズ本体を有し、該レンズ本体の使用者の瞳孔区に対応する部分に黒色の円形の着色部分を設け、その黒色の円形の中心部分に直径１．５ｍｍ〜２．０ｍｍの円形の無着色の光透過ゾーンを設けることにより、リンク形状に黒色に着色された部分を有することを特徴とする視力矯正コンタクトレンズである。この黒色のリンク部分は瞳孔の大きさに対応しているので眼球を暗室化し、黒色の円形部分の中央の光透過ゾーンがピンホールとなり、視力を矯正するコンタクトレンズである。請求項２の考案は前記黒色のリンクの外径が５ｍｍ、内径が１．５ｍｍ〜２．０ｍｍであることを特徴とする請求項１の視力を矯正するコンタクトレンズである。
コンタクトレンズに黒い着色をしたときに、着色剤によって使用者がアレルギーを起こさないようにする技術として、実用新案登録第３１４８６９３号、コンタクトレンズの上下２層の間に着色剤を包覆する技術を応用するのが有益である
【考案の効果】
【００１３】  本考案はコンタクトレンズの瞳孔対応部分を黒色にして、その中央にピンホールの光透過部分を設けたので、網膜上に外景の鮮明な結像を得られ、老眼の初期は老眼鏡なしでも近いところがよく見えるので老眼鏡が必要になる時期を遅くらせることが出来る。老眼がある程度進んでも、老眼鏡だけで矯正するより低度数の凸レンズで近い所がよく見える。老眼鏡の度の低い間は老眼鏡の着脱を要しない。また遠方視用と近方視用の２つのめがねを用いなければならない時期が遅くなる。また視力矯正手術の必要性を緩和する効果も有する。
【００１４】  本考案コンタクトレンズはピンホールから採光するので視界が暗くなるが、本考案コンタクトレンズを片方の目だけに着装すれば気にならない。
【図面の簡単な説明】
【００１５】
【図１】  本案に係るピンホールコンタクトレンズを正面から見た概略図である。
【符号の説明】
【００１６】１  レンズ本体
２  リンク状の黒色の部分
３  光透過部分
【図１】
0003168294.tif 000003
【手続補正書】
【提出日】平成23年3月10日(2011.3.10)
【手続補正１】
【補正対象書類名】実用新案登録請求の範囲
【補正対象項目名】請求項２
【補正方法】変更
【補正の内容】
【請求項２】
前記リンク状の着色部分の外径５ｍｍ、内径１．５ｍｍ〜２．０ｍｍであることを特徴とする請求項１記載の視力矯正コンタクトレンズ。
(57)【要約】      （修正有）【課題】花瓶の口径に合わせて径の調整ができる仕切りのある保持具を提供する。【解決手段】様々な花瓶の口径に合わせて、調整可能な保持具。適切な太さの金属棒を使用し、切り欠きのある外円と繋がる芯をずらせた内円仕切りで調整を可能にして、花を生ける複数の区画空隙を持っている。花瓶にセットするときは、外円につけた足の張力を利用し、安定させている。【選択図】図２
0003168291.tif 000002
【実用新案登録請求の範囲】
【請求項１】
花瓶の口径に合わせ容易に調整できるように切欠きのある外円と芯をずらせた内円仕切りを持つ可塑性のある材質の生け花保持具
【請求項２】
切り欠きを持つ外円を花瓶に安定してセットするため、可塑性のある適切な太さの足をつけ、花瓶の形状に合わせて自由に曲げ、その張力を利用し保持する請求項１記載の生け花保持具
【考案の詳細な説明】
【技術分野】
【０００１】  この考案は、生け花を生ける時に、安定した姿を保つ道具に関する。
【背景技術】
【０００２】  従来の道具は、花瓶の口径に合わせて使用者が調整出来なかった。
【先行技術文献】
【特許文献】
【０００３】
【特許文献１】特開２００５−８７２２２
【考案の概要】
【考案が解決しようとする課題】
【０００４】  花を生けるとき、花瓶の口径と生け花の量との関係によっては、花の位置が安定せず形を整えるのに苦労していた。この考案は花瓶の口径に合わせて径の調整ができる仕切りのある保持具を課題とする。
【課題を解決するための手段】
【０００５】  第一の考案は、花瓶の口径に合わせ容易に調整できるように切欠きのある外円と芯をずらせた内円仕切りを持つ可塑性のある材質の生け花保持具
第二の考案は、切り欠きを持つ外円を花瓶に安定してセットするため、可塑性のある適切な太さの足をつけ、花瓶の形状に合わせて自由に曲げ、その張力を利用し保持する生け花保持具
【考案の効果】
【０００６】  第一考案及び第２考案により、花瓶の口径によって調整可能な内円仕切りを持つことで、花の位置を安定させることが容易にでき、かつ可塑性のある足により花瓶に安定して保持することが出来る
【図面の簡単な説明】
【０００７】
【図１】この考案の一実施形態を示す使用状態図である。
【図２】この考案の一実施形態を示す大口径花瓶用の斜視図と平面図である。
【図３】この考案の一実施形態を示す小口径花瓶用の斜視図と平面図である。
【考案を実施するための形態】
【０００８】  この保持具は調整に適した太さの金属であり、切り欠きを持つ外円と繋がる芯をずらせた内円仕切りと、花瓶の中形状に合わせて安定してセットするための曲げ可能な３本の足をもつ。
【実施形態の効果】
【０００９】  この実施形態によれば、花瓶の口径に合わせ調整可能な外円と、自由に曲げて使用する３本の足によって各種花瓶の径や口形状に合わせて使用でき、かつ外円と繋がる円弧仕切りが構成する区画空隙により花の位置が安定する。
【他の実施形態の効果】
【００１０】  この実施形態では、基本の径に対し約２０ｍｍの調整範囲をカバーするものであり、その範囲をこえる場合には、別途サイズを製作する。花瓶の口径により内円仕切りの数は異なる。現在は、金属製であるが、これに代わる材料が見つかれば変更することもできる。
【符号の説明】
【００１１】１、外円          ２、内円仕切り
３、足            ４、区画空隙
【図１】
0003168291.tif 000003
【図２】
0003168291.tif 000004
【図３】
0003168291.tif 000005
【手続補正書】
【提出日】平成23年3月7日(2011.3.7)
【手続補正１】
【補正対象書類名】実用新案登録請求の範囲
【補正対象項目名】全文
【補正方法】変更
【補正の内容】
【実用新案登録請求の範囲】
【請求項１】
可塑性のある線条部材にて形成した切欠きのある外円（１）の中に内円仕切り（２）として、前記線条部材で形成した２個の円弧を向き合わせ適切な区画空隙（４）を形成し、前記円弧の短片でそれぞれ外円（１）に接合した形状で、外円（１）を花瓶の口に合わせて縮めたとき干渉しないように、向き合った２個の円弧の芯をずらせてあることを特徴とする生け花保持具。
【請求項２】
外円（１）を花瓶に安定してセットするため、外円（１）の特定の位置に可塑性のある線条部材にて形成した適切な長さの足（３）をつけた前記請求項１記載の生け花保持具。
(57)【要約】      （修正有）【課題】婦人科の癌手術後、一側の足部等にでるリンパ浮腫時に着用できるパンツを提供する。【解決手段】パンツの一側の裾部２を深く大きく刳り取ることによって浮腫の出ている大腿部、鼠径部、陰部等の皮膚を刺激することなく着用できるようにする。ウエストとヒップのサイズ、浮腫の出ていない足部の裾周りも体にあっていて、浮腫で痛みのある足を締め付けずに履き心地も良く日中、夜間とも着用していることができるようになる。【選択図】図１
0003168296.tif 000002
【実用新案登録請求の範囲】
【請求項１】
右足にリンパ浮腫がある患者の為の下着で、パンツの裾部右側を深く刳り取った左右対称の形でないことを特徴とする。
【請求項２】
左足にリンパ浮腫がある患者の為の下着で、パンツの裾部左側を深く刳り取った左右対称の形ではないことを特徴とする。
【考案の詳細な説明】
【技術分野】
【０００１】  この考案は婦人科の癌の手術の後遺症であるリンパ浮腫時に着用できるようにパンツを改良したものである。
【背景技術】
【０００２】  既存のパンツは、健常者用でリンパ浮腫患者が着用できるパンツはなかった。
【考案の概要】
【考案が解決しようとする課題】
【０００３】  子宮癌、卵巣癌の子宮全的手術で骨盤内のリンパ節を郭清してしまうために、リンパの流れが障害を受けて細菌や老廃物が処理されにくくなり、リンパ浮腫が発症する。おもに一側の大腿部、鼠径部、陰部等にでることがある。市販のパンツは両足の裾部の大きさは同じなので浮腫で太くなった足は皮膚に痛みを感じ着用することができなかった。そこで市販のパンツのサイズを上げて着用したら足部は良いがヒップ、ウエストが緩すぎて不都合であった。本考案はこの課題を解消する為のものである。
【課題を解決するための手段】
【０００４】  上記課題を解決する為ヒップ、ウエストはそのままにしてパンツ本体１の一側の裾部２を浮腫で太くなった分だけ大きく、深く裁断して縫製する。
【考案の効果】
【０００５】  ウエストとヒップのサイズ、浮腫の出ていない足部の裾周りも体にあっていて、浮腫で痛みのある足を締め付けずに履き心地も良く日中、夜間とも着用していることができるようになった。
【図面の簡単な説明】
【０００６】
【図１】  本考案の正面図である。
【図２】  本考案の正面図である。
【符号の説明】
【０００７】  １  パンツ本体
２  裾部
【図１】
0003168296.tif 000003
【図２】
0003168296.tif 000004
【手続補正書】
【提出日】平成23年3月7日(2011.3.7)
【手続補正１】
【補正対象書類名】実用新案登録請求の範囲
【補正対象項目名】全文
【補正方法】変更
【補正の内容】
【実用新案登録請求の範囲】
【請求項１】
右足にリンパ浮腫がある患者の為の下着で、パンツの裾部右側を深く刳り取った左右対称の形でないことを特徴とするパンツ。
【請求項２】
左足にリンパ浮腫がある患者の為の下着で、パンツの裾部左側を深く刳り取った左右対称の形でないことを特徴とするパンツ。
(57)【要約】【課題】さまざまな形のワイングラスを、複雑な緩衝材を使用することなく、統一した構造の緩衝材を使用することにより、配送破損の軽減、緩衝材費用の削減と梱包作業工程短縮を可能にできるワイングラスの梱包仕様。【解決手段】緩衝材３を使用することによって、さまざまな形のワイングラスをセットすることが可能になる。さらに緩衝材３にセットしたワイングラスを収縮フィルム等利用することにより配送破損を防ぐことが可能となる。【選択図】図２
0003168290.tif 000002
【実用新案登録請求の範囲】
【考案の詳細な説明】
【技術分野】
【０００１】  本考案は、さまざまな形状のワイングラスを１種類の緩衝材を用いて梱包する梱包仕様、梱包箱と緩衝材に関するものである。
【背景技術】
【０００２】  従来さまざまな形状のワイングラスを、見た目を重視したギフト配送用に梱包する際、ワイングラスの形状ごとに、段ボールの抜き型を設計し、緩衝材を作る必要があった。そのため、梱包しようとするワイングラスの形状種類が増えるごとに抜き型の設計をするため、多額な費用が発生していた。梱包作業者は緩衝材が複雑化するため、梱包作業の熟練に多大な時間を費やさなければならない問題があった。
【考案の概要】
【考案が解決しようとする課題】
【０００３】  ギフト配送用に箱詰めされたワイングラスは輸送中に破損することが多い、その為、緩衝材の量を多く使用することによって緩衝力を高めてきた。その場合、緩衝材のコストが高くなり、緩衝材の種類も多くなる。従って保管場所のスペースもたくさん必要になるという欠点があった。本考案は、緩衝材を共通化することにより前述の問題を解決しようとするものである。
【課題を解決するための手段】
【０００４】  ギフト配送用のワイングラスを梱包するためには、図１の外装箱本体と図２の緩衝材を用いる。ワイングラスの底部分の規格は、大部分が類似形状のため、ワイングラスの低部分を図２、緩衝材３の６０ミリの切り込み４に差し込む。緩衝材３は、図１、外装箱本体の緩衝材を抑える部分２により固定され、ワイングラスが外装箱本体内で飛び跳ねないように防止する、更に収縮フィルムをワイングラスがセットされた緩衝材に巻くことで、配送時の破損を減少させる。
【考案の効果】
【０００５】  図２の緩衝材３を使用することにより、さまざまな形状のワイングラスを梱包することが可能となる。緩衝材が統一されることにより、従来のように梱包作業者が形状違いの緩衝材部品を探す、組み合わせるという手間が省ける。さらに、熟練の作業者でなくとも１００ミリの切り込み５に差し込むことで簡単に箱を組み立てることが可能となり、生産効率が上がる。ワイングラスが直接外装箱の面に接しないことで安全に配送が可能となる。本考案の効果として、従来に比べた生産効率のアップと配送破損の減少で経済効果が見込める。
【図面の簡単な説明】
【０００６】
【図１】  ワイングラスを梱包するための外装箱を示す平面図である。
【図２】  ワイングラスをセットするための緩衝材を示す平面図である。
【符号の説明】
【０００７】１  外装箱本体
２  緩衝を抑える部分
３  緩衝材
４  ６０ミリの切り込み
５  １００ミリの切り込み
【図１】
0003168290.tif 000003
【図２】
0003168290.tif 000004
【手続補正書】
【提出日】平成23年3月10日(2011.3.10)
【手続補正１】
【補正対象書類名】実用新案登録請求の範囲
【補正対象項目名】全文
【補正方法】変更
【補正の内容】
【実用新案登録請求の範囲】
【請求項１】
緩衝材３の側面が直角三角形で斜面を上にし、上面が長方形の立体物となる際、上面の直角三角形の直角側に６０ミリの切り込み４を備え、ワイングラスの丸い形状の底部分を簡単に差し込むことができ、ワイングラス本体が外装箱本体１の底面に直接接しない構造により、配送破損防止予防が可能な形状となる緩衝材３を外箱本体１に組み込んだギフト配送用梱包箱。
【請求項２】
外装箱本体１はワイングラスを差し込んだ緩衝材３を、外装箱本体１の内部に組み込んだ際、緩衝材３を固定することを容易にするために、外装箱本体１の緩衝材を抑える部分２は、上面を覆う面とフラップを有しており、緩衝材３の底面は上面の立体物より両側面が５ミリ突き出していることにより、緩衝材を抑える部分２のフラップが、緩衝材３の両側面の隙間を通り、緩衝材３の底面を固定することが可能となる事を特徴とする請求項１に記載のギフト配送用梱包箱。
(57)【要約】      （修正有）【課題】ゴルフバッグを傾斜させて置くときにバッグ底面が地面から浮き上がらずに水平に接地する定位構造を有したゴルフバッグを提供する。【解決手段】上枠体２０及び下枠体２1の間に傾斜を持たせて内枠体２６を設置し、上枠体２０と内枠体２６との間を内側の骨組み２２で連結すると共に、該内枠体の傾斜下端を下枠体の一端を接続軸２３で枢着してバッグの骨組みを構成し、上枠体に支え棒を枢着して設けることにより、バッグを該支え棒に支持させて傾斜して置くとき、下枠体と内枠体とが接続軸を介して傾斜して下枠体下面が水平を保って接地することができる。【選択図】図４
0003168516.tif 000002
【実用新案登録請求の範囲】
【請求項１】
上枠体及び下枠体との間に傾斜を持たせて内枠体を設置し、上枠体と内枠体との間を内側の骨組みで連結すると共に、該内枠体の傾斜下端と下枠体の一端を接続軸で枢着してバッグの骨組みを構成し、これらの骨組みを覆ってバッグ本体を構成し、上枠体に支え棒を枢着して設けることにより、バッグを該支え棒に支持させて傾斜して置くとき、下枠体と内枠体とが接続軸を介して傾斜して下枠体下面が水平を保って接地するようにしたことを特徴とするゴルフバッグの構造。
【考案の詳細な説明】
【技術分野】
【０００１】  本考案は、ゴルフバッグの定位構造に関し、特にゴルフバッグを傾斜して置く際にも、該底部全体が地面に抵触するために、倒れないゴルフバッグの定位構造に関する。
【背景技術】
【０００２】  図１、図２及び図３に示すように、従来技術の外側に支え棒を具有するゴルフバッグは上下に上枠体１０と下枠体１１を具有し、上下の枠体の間に数本の骨組み１２を設置し、更に布や革で覆ってバッグ本体１５に形成する。該上枠体１０の外側に支え棒１３を設け、バッグ本体１５を傾斜した角度にすることで、クラブが取りやすくなる。また、弾性のある補助棒１４を設置し、外側の支え棒１３の補助をする。前記の構造は、次のような欠点がある：図１、図３に示すように、内側の骨組み１２の両端は上下の枠体１０、１１と接続するため、バッグ本体に斜角度を付すと、必然的に下枠体１１は上向きに角度θが上がる。つまり、下枠体１１は全体ではなく、一端のみが地面に抵触し、重心が不安定となり、左右に倒れやすいため、更なる改善が必要であった。
【先行技術文献】
【特許文献】
【０００３】
【特許文献１】特開平８−８４７９２号公報
【特許文献２】特開平７−３１３６４４号公報
【考案の概要】
【考案が解決しようとする課題】
【０００４】  前記従来技術の欠点を解決するため、本考案は、バッグを傾斜させても、下枠体の底部全体が地面と抵触し、バッグが安定して倒れないゴルフバッグの定位構造を提供することを主な課題とする。
【課題を解決するための手段】
【０００５】  前記課題を解決するために、本考案はゴルフバッグの定位構造を提供するものである。ゴルフバッグの上下枠体の間に内枠体を設け、骨組みを上枠体と内枠体に接続し、内枠体と下枠体の一端を接続し、別端に伸縮スペースを形成する。内枠体及び伸縮スペースにより、ゴルフバッグ及び該骨組みが傾斜しても、下枠体の底部全体が地面と抵触し、バッグが安定して倒れない。
【考案の効果】
【０００６】  本考案は内枠体及び伸縮スペースの設置により、外側の支え棒でバッグを傾斜させるときでも、下枠体の底部全体が地面に抵触し、バッグが安定して倒れにくい。
【図面の簡単な説明】
【０００７】
【図１】従来技術における立体図である。
【図２】従来技術におけるバッグの立体外観図である。
【図３】従来技術における傾斜角度を呈す状態図である。
【図４】本考案における構造立体図である。
【図５】本考案におけるゴルフバッグの立体外観図である。
【図６】本考案における傾斜角度を呈す状態図である。
【図７】本考案におけるバッグの傾斜角度を呈す状態図である。
【図８】本考案における底部枠体の立体図である。
【考案を実施するための形態】
【実施例】
【０００８】  図４〜図８に示すように、本考案は上枠体２０、下枠体２１、上下枠体２０、２１を覆うバッグ本体２５、上枠体２０の外側に設置する支え棒２３がバッグ本体２５を支えて上枠体２０が傾斜し、更に補助棒２４を設置し、外側の支え棒２３を補助する。また、上下枠体２０、２１の間に内枠体２６を設置し、上枠体２０と内枠体２６の間に数本の骨組み２２を組み、内枠体２６と下枠体２１の一端に接続軸２７を設けて一体に組み立てる。内枠体２６、下枠体２１の別端に、伸縮スペースＷを形成する。【０００９】  前記構造により、下記の効果を持つ。図４、図５に示すように、バッグ本体２５を地面と垂直に置いた際、該内枠体２６は傾斜した角度を呈し、内側の骨組み２２は垂直な状態である。図６、図７に示すように、該内枠体２６及び接続軸２７、伸縮スペースＷを設けるため、該バッグ本体２５が傾斜する際、バッグ全体が下降し、内側の骨組み２２と上枠体２０が傾斜するが、下枠体２１は尚も地面に「底面の全体が抵触する」状態を呈す。つまり、下枠体２１は従来技術のように片端が上がることがないため、重心が安定し、バッグが倒れない。
【符号の説明】
【００１０】１０、２０  上枠体１１、２１  下枠体１２、２２  内側の骨組み１３、２３  外側の支え棒１４、２４  補助棒１５、２５  バッグ２６  内枠体２７  接続軸Ｗ  伸縮スペースθ  角度
【図１】
0003168516.tif 000003
【図２】
0003168516.tif 000004
【図３】
0003168516.tif 000005
【図４】
0003168516.tif 000006
【図５】
0003168516.tif 000007
【図６】
0003168516.tif 000008
【図７】
0003168516.tif 000009
【図８】
0003168516.tif 000010
(57)【要約】      （修正有）【課題】録画されていることをテレビ画面上で確認することができるビデオ録画表示装置を提供する。【解決手段】テレビ画面と、前記テレビ画面での表示中の番組映像とビデオ録画中の番組とが同一の場合において、前記テレビ画面録画中を示す印又は文字を表示する表示部とで成す。【選択図】図１
0003168596.tif 000002
【実用新案登録請求の範囲】
【請求項１】
ビデオ録画中の番組をテレビ画面に「●又は『録画中』」と表示する。これは録画しているテレビ番組を重複して観るのを防止するのと録画予約した番組が間違いなく録画されていることを確認する為である。  特に同時に数件のテレビ番組を予約録画している時にはビデオデッキの録画中の表示は「●」が有るが、予約した番組が確実に録画がなされているかをテレビ画面で確認出来るからである。  また予約した番組が確実に録画されているかどうかも一々ビデオデッキの「再生」等の操作で確認しなくても済む。  当然ながら、テレビ画面に表示された「●又は『録画中』」が目障りの場合にはこれを消去出来るシステムともする。
【考案の詳細な説明】
【技術分野】
【０００１】  本考案は、ビデオ録画をテレビ画面に表示するものである。
【背景技術】
【０００２】  ビデオ録画番組をテレビ画面に「●又は『録画中』」と表示し重複してテレビを観たり確実に録画されているのをテレビ画面で確認する。
【考案の概要】
ビデオ録画中の番組をテレビ画面に「●又は『録画中』」と表示する。  これは録画している番組を重複して観るのを防止するのと録画予約した番組が間違なく録画されていることを確認する為である。  特に同時に数件のテレビ番組を予約録画している時にはビデオデッキには「●」の表示はあるが、予約した番組が確実に録画がなされているかが画面で確認できるからである。  また予約した番組が確実に録画されているかどうかも一々ビデオデッキの「再生」等の操作で確認しなくても済む。  当然ながら、テレビ画面に表示された「●又は『録画中』」が目障りの場合にはこれを消去できるシステムとする。
【考案が解決しょうとする課題】
【０００３】  ビデオ録画予約したのに録画されなかったり、録画しているのにテレビで観たり録画されているかどうかの確認をビデオデッキの再生等の操作をしなければならなかった。  これらを解決する為にテレビ画面で録画を確認しようとするものである。
【課題を解決するための手段】
【０００４】  現状のシステムでは既にビデオデッキに録画中には「●」の表示システムが有るのでこれを活用して、ビデオデッキからテレビに回線を接続すれば解決する。
【考案の効果】
【０００８】  本考案に係るビデオ録画表示は、録画している番組を重複して観るのを防止するのと録画予約した番組が間違なく録画されていることを確認出来る効果がある。  特に同時に数件のテレビ番組を予約録画している時にはビデオデッキには「●」の表示はあるが、予約した番組が確実に録画がなされているかが画面で確認できる。
【図面の簡単な説明】
【０００９】
【図１】本考案に係るビデオ録画表示の工程図である。
【符号の表示】
【０００９】  波線はビデオデッキからテレビへの接続回線である。0003168596.tif 000003
【考案を実施するための形態】
【０００５】  図に示すように、録画中の番組をビデオデッキからテレビへ回線で接続する。
【図１】
0003168596.tif 000004
【手続補正書】
【提出日】平成23年3月9日(2011.3.9)
【手続補正１】
【補正対象書類名】実用新案登録請求の範囲
【補正対象項目名】全文
【補正方法】変更
【補正の内容】
【実用新案登録請求の範囲】
【請求項１】
テレビ画面と、前記テレビ画面での表示中の番組映像とビデオ録画中の番組とが同一の場合において、前記テレビ画面録画中を示す印又は文字を表示する表示部とで成したことを特徴とするビデオ録画表示装置。
(57)【要約】【課題】軽量型車両用充填タイヤの提供。【解決手段】この軽量型車両用充填タイヤは、リム、該リムの外側に取り付けられるタイヤ外皮、該タイヤ外皮の内部に設けられて一端が該リムの外に当接する硬い弾性構造体、該タイヤ外皮の内部に設けられ、一端が該硬い弾性構造体の別端に当接する軟らかい弾性充填体を包含し、これにより、タイヤの支持強度と回転時の平衡度向上を達成する。【選択図】図２
0003168325.tif 000002
【実用新案登録請求の範囲】
【請求項１】
軽量型車両用充填タイヤにおいて、
リムと、
該リムの外側に設けられるタイヤ外皮と、
該タイヤ外皮の内部に設けられ、且つ一端が該リムの外側に当接する硬い弾性構造体と、
該タイヤ外皮の内部に設けられ、且つ一端が該硬い弾性構造体の別端に当接する軟らかい弾性充填体と、
を包含し、タイヤの支持強度と回転時の平衡度を向上する軽量型車両用充填タイヤ。
【請求項２】
請求項１記載の軽量型車両用充填タイヤにおいて、該硬い弾性構造体は、ＥＶＡ、ＴＰＵ、ＴＰＲのような弾性発泡体材料で形成されたことを特徴とする、軽量型車両用充填タイヤ。
【請求項３】
請求項１記載の軽量型車両用充填タイヤにおいて、該軟らかい弾性充填体はＰＵ、シリコンゴムなどの液体発泡材料で形成されたことを特徴とする、軽量型車両用充填タイヤ。
【考案の詳細な説明】
【技術分野】
【０００１】
本考案は一種の軽量型車両用充填タイヤに係り、特に支持強度と平衡度を改善可能な充填タイヤに関する。
【背景技術】
【０００２】
いわゆる「軽量型車両」は、１．車体重量が比較的軽く、２．積載負荷が比較的小さく、３．充気を必要としない等の条件のものを指す。たとえば、自転車、ゴルフカート、乳母車、買い物用キャリー、ショッピングカート、車椅子、車椅子、スーツケース用台車などがある。
【０００３】
周知の軽量型車両用充填タイヤはいずれもタイヤ外皮内部に直接弾性発泡充填物を注入して一般に使用される空気タイヤの代わりとしている。しかし、弾性充填物の構造強度とタイヤ内の充填均一度は掌握しにくく、内部充填時に不均一な充填となりやすく、品質の低下をもたらす。
【０００４】
このほか、この伝統的な充填タイヤはただ一種類の硬度しか有さず、もし軟らか過ぎると、車両を支持できず、すなわち、支持強度が低くなり、また、硬過ぎると、弾性が欠乏し、タイヤ回転時の平衡度に影響が生じ、いずれの場合も、改善が待たれる。
【考案の概要】
【考案が解決しようとする課題】
【０００５】
本考案の目的は、支持強度と平衡度を向上できる軽量型車両用充填タイヤを提供することで、周知の欠点を改善することにある。
【課題を解決するための手段】
【０００６】
上述の目的を達成するため、本考案は、リム、該リムの外側に取り付けられるタイヤ外皮、該タイヤ外皮の内部に設けられて一端が該リムの外に当接する硬い弾性構造体、該タイヤ外皮の内部に設けられ、一端が該硬い弾性構造体の別端に当接する軟らかい弾性充填体を包含し、これにより、タイヤの支持強度と回転時の平衡度向上を達成する。
【考案の効果】
【０００７】
本考案の軽量型車両用充填タイヤは、リム、該リムの外側に取り付けられるタイヤ外皮、該タイヤ外皮の内部に設けられて一端が該リムの外に当接する硬い弾性構造体、該タイヤ外皮の内部に設けられ、一端が該硬い弾性構造体の別端に当接する軟らかい弾性充填体を包含し、これにより、タイヤの支持強度と回転時の平衡度向上を達成する。
【図面の簡単な説明】
【０００８】
【図１】本考案の立体分解図である。
【図２】本考案の立体断面図である。
【考案を実施するための形態】
【０００９】
本考案の技術内容、構造特徴、達成する目的を詳細に説明するため、以下に実施例を挙げ並びに図面を組み合わせて説明する。
【００１０】
図１、２を参照されたい。本考案は、
硬質プラスチック或いは金属材料で形成されたリム１と、
ゴムで形成されて該リム１の外側に設けられるタイヤ外皮２と、
例えばＥＶＡ、ＴＰＵ、ＴＰＲのような弾性発泡体材料で形成され、該タイヤ外皮２の内部に設けられ、且つ一端が該リム１の上に当接する硬い弾性構造体３と、
たとえばＰＵ、シリコンゴムなどの液体発泡材料で形成され、該タイヤ外皮２の内部に設けられ、且つ一端が該硬い弾性構造体３の別端（上端）に当接する軟らかい弾性充填体４と、
を包含する。
【００１１】
以上の構造の組合せにより、本考案はリム１とタイヤ外皮２の間（すなわちタイヤ外皮２の内部）に、まず硬い弾性構造体３が充填されて、該タイヤ外皮２を支持し、その後、さらに液体発泡体が注入されてタイヤ外皮２とリム１の間の空隙に充満して、該軟らかい弾性充填体４が形成され、タイヤ外皮２の支持を補助し、タイヤの真円度を保持させ、並びに一定の構造強度を提供し、タイヤの支持強度を向上する。
【００１２】
このほか、該軟らかい弾性充填体４は、リム１とタイヤ外皮２の間の空隙を充満するほか、水或いは泥土のタイヤ内部への進入を防止し、並びにタイヤに一定の弾性を提供し、タイヤ回転時の平衡度を向上する。
【００１３】
ゆえに、周知の技術に較べて遥かに進歩をしていることを示す。
【００１４】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１５】
１  リム
２  タイヤ外皮
３  硬い弾性構造体
４  軟らかい弾性充填体
【図１】
0003168325.tif 000003
【図２】
0003168325.tif 000004